(57)【要約】【課題】  外気を熱源とするエアコンディショナーは、冬期暖房運転に際し、外気温が０℃以下になると、暖房運転が出来なくなる。また夏期冷房運転に際し、従来のエアコンディショナー室外機は、外気導入時その周辺に乱気流を起こし、室外機からの排熱が周辺に回りこんで高温となり、冷房効率の低下とヒートアイランド現象助長の原因となっている。【解決手段】  エアコンディショナー室外機にチャンバーボックスを装着し、ダクトで結び室内空気をチャンバーボックスへ導入し、熱源とする。この時、導入ファンは従来の軸流ファンを、シロッコファンまたは斜流ファンまたは二重反転ファンに置き換えることとする。これにより室内の空気は一定方向に流れ、エアコンディショナー室外機の熱交換効率を一年中通して向上させる事が出来る。【選択図】図２
2012057922.tif 000002
【特許請求の範囲】
【請求項１】
熱交換された空気を室内に送り込む室内機、及び熱交換器を有する室外機、そして両機の間を冷媒が循環するために、冷媒配管で連結させた構成のエアーコンディショナーにおいて、室内空気を室外機に取り込み熱交換器を通過させる手段を有したことを特徴とする室内空調システム。
【請求項２】
前記室内空気を室外機に取り込み熱交換器を通過させる手段として、室内空気が流動するためのダクト、及び導入された室内空気が一旦滞留するためのチャンバーボックス、そして室内空気導入用ファンにより構成したことを特徴とする、請求項１記載の室内空調システム。
【請求項３】
前記室内空気導入用ファンの手段として、ファンの軸方向から空気を吸い込み、ファンの回転する接線方向へ送風する、図７に示すようなシロッコファンからなることを特徴とした請求項２記載の室内空調システム。
【請求項４】
前記室内空気導入用ファンの手段として、ファンの軸方向から空気を吸い込み、軸の斜め方向へ傾斜したケーシングによって向きを変えて斜め方向に送風する、図８に示すような斜流ファンからなることを特徴とした請求項２記載の室内空調システム。
【請求項５】
前記室内空気導入用ファンの手段として、ファンの軸方向から空気を吸い込み、回転方向が逆のファン２台を同一軸芯上の前後に配置した構造で送風する、図９に示すような二重反転ファンからなることを特徴とした請求項２記載の室内空調システム。
【発明の詳細な説明】
【技術分野】
【０００１】  本装置はヒートポンプの熱源を建物内部の空気に求め、運転稼動出来る装置である。
【背景技術】
【０００２】  外気を熱源とするヒートポンプ（エアコンディショナー）は外気気象条件により、著しくその能力が左右される。
夏にはエアコンディショナーの室外機周辺が４０℃以上になり、室外機の外気との熱交換効率を下げる。また冬には外気温度が０℃以下になると外気から熱回収が低下し、暖房運転効率を極度に降下させ、更に外気温度が−５℃〜−１０℃となると、エアコンディショナーは暖房運転が出来なくなる。【０００３】  特許文献１のように住宅の床下の空気を熱源として熱交換を行う方式が提案されているが、床下のない住居には適応できない。また冷房にしか対応ができない方式である。【０００４】  特許文献２のように、屋内のロフト空間の空気を熱源として熱交換を行う方式が提案されているが、ロフトのない住居には適応できない。また暖房にしか対応ができない方式である。【０００５】  特許文献３のように、室外機にチャンバーを取り付け、室外機の排熱を利用して冷房時の凝縮効率を向上させ、省エネを図ることが提案されているが、冷房にしか対応ができない方式である。
【特許文献１】特開２００３−２６９７６６  号公報
【特許文献２】特開２００９−２１０２１６  号公報
【特許文献３】特開平１１−３２５５１２  号公報
【発明の開示】
【発明が解決しようとする課題】
【０００６】  外気を熱源とするエアコンディショナーは、冬期、暖房運転に際し、外気温度が下がり、０℃以下になると外気から熱を回収して冷媒液を蒸発気化させる為の熱量を十分に取り込むことが出来ない。その結果、冷媒液は完全に蒸発ガス化出来ず、圧縮機での稼動が困難となり、エアコンディショナーの暖房運転が出来なくなる。そして、更には圧縮機の破損の原因となる。
夏期、冷房運転に際し、従来のエアコンディショナー室外機は、外気の導入に図６に示すような軸流ファンを使用しているので、その周辺に乱気流を起こし、室外機からの排熱が周辺に回りこんで高温となっている。この室外機周辺の高温が、冷房効率の低下とヒートアイランド現象助長の原因となっている。
【課題を解決するための手段】
【０００７】  エアコンディショナー室外機に、チャンバーボックスを装着する。そしてチャンバーボックスと建物の室内をダクトで結び、室内空気をチャンバーボックスへ導入し、熱源とする。この時、導入ファンは、従来の図６に示すような軸流ファンを、ファンの軸方向から空気を吸い込み、ファンの回転する接線方向へ送風する、図７に示すようなシロッコファンまたはファンの軸方向から空気を吸い込み、軸の斜め方向へ傾斜したケーシングによって向きを変えて斜め方向に送風する、図８に示すような斜流ファンまたはファンの軸方向から空気を吸い込み、回転方向が逆のファン２台を同一軸芯上の前後に配置した構造で送風する、図９に示すような二重反転ファンに置き換えることとする。これにより室内の空気は一定方向に流れ、エアコンディショナー室外機の熱交換効率を一年中通して向上させる事が出来る。
【発明の効果】
【０００８】  １．冬期、室内空気を熱源としてエアコンディショナーを稼動させる事により、エアコンディショナー暖房運転効率を向上させる事が出来、省エネを可能とする。
２．夏期、室内空気を熱源としてエアコンディショナーを稼動させる事により、エアコンディショナー冷房運転効率を向上させる事が出来、省エネを可能とする。
またエアコンディショナー室外機から外部に排出される熱風量を、従来比１／１０に削減出来、ヒートアイランド現象を防止できる。
【発明を実施するための最良の形態】
【０００９】  以下、この発明の実施の形態を図に基づいて説明する。
図１は第１形態の中心構成アイソメトリック図である。
図２は第１形態の全体構成アイソメトリック図である。【００１０】  図３は第１実施形態を示すものである。図において、エアコンディショナー室外機▲１▼は冷媒配管▲３▼、▲４▼で、エアコンディショナー室内機▲２▼と連結している。ダクト▲５▼により室内空気を誘導して、ファンの軸方向から空気を吸い込み、ファンの回転する接線方向へ送風する、シロッコファン▲６▼により吸引し、導入された室内空気が一旦滞留するためのチャンバーボックス▲７▼を経由して室外機▲１▼の熱交換器▲８▼を通過することを特徴とする本発明による実施例。【００１１】  図４は第２実施形態を示すものである。図において、エアコンディショナー室外機▲１▼は冷媒配管▲３▼、▲４▼でエアコンディショナー室内機▲２▼と連結している。ダクト▲５▼により室内空気を誘導して、ファンの軸方向から空気を吸い込み、軸の斜め方向へ傾斜したケーシングによって向きを変えて斜め方向に送風する、斜流ファン▲９▼により吸引し、導入された室内空気が一旦滞留するためのチャンバーボックス▲７▼を経由して室外機▲１▼の熱交換器▲８▼を通過する事を特徴とする本発明による実施例。【００１２】  図５は第３実施形態を示すものである。図において、エアコンディショナー室外機▲１▼は冷媒配管▲３▼、▲４▼でエアコンディショナー室外機▲２▼と連結している。ダクト▲５▼により室内空気を誘導して、ファンの軸方向から空気を吸い込み、回転方向が逆のファン２台を同一軸芯上の前後に配置した構造で送風する、二重反転ファンにより吸引し、導入された室内空気が一旦滞留するためのチャンバーボックス▲７▼を経由して室外機▲１▼の熱交換器▲８▼を通過することを特徴とする本発明による実施例。
【図面の簡単な説明】
【００１３】
【図１】本発明の第１実施形態の中心構成図である。
【図２】本発明の第１実施形態の全体構成図である。
【図３】本発明の第１実施形態の説明図である。
【図４】本発明の第２実施形態の説明図である。
【図５】本発明の第３実施形態の説明図である。
【図６】軸流ファンと空気の流れを示す概略図である。
【図７】シロッコファンと空気の流れを示す概略図である。
【図８】斜流ファンと空気の流れを示す概略図である。
【図９】二重反転ファンと空気の流れを示す概略図である。
【符号の説明】
【００１４】▲１▼‥‥‥‥室外機
▲２▼‥‥‥‥室内機
▲３▼‥‥‥‥冷媒配管
▲４▼‥‥‥‥冷媒配管
▲５▼‥‥‥‥ダクト
▲６▼‥‥‥‥シロッコファン
▲７▼‥‥‥‥チャンバーボックス
▲８▼‥‥‥‥熱交換器
▲９▼‥‥‥‥斜流ファン
▲１０▼‥‥‥二重反転ファン
【図１】
2012057922.tif 000003
【図２】
2012057922.tif 000004
【図３】
2012057922.tif 000005
【図４】
2012057922.tif 000006
【図５】
2012057922.tif 000007
【図６】
2012057922.tif 000008
【図７】
2012057922.tif 000009
【図８】
2012057922.tif 000010
【図９】
2012057922.tif 000011